(57)【要約】      （修正有）【課題】矩形マスクの上辺を、使用者の鼻の高さに応じて、簡単かつ確実に、マスクの顔への密着性を高めることができるマスク成型具を提供する。【解決手段】マスク９の上辺の略中央に当接させる凸部２と、凸部との間で、マスクを挟持すると共に、その両側から挟圧可能な一対の押圧片４ａを有する押圧部４とから構成し、マスクに、使用者の鼻１０が密接して挿入可能な鼻挿入用凹部１１を折曲成型する。【選択図】図２
0003190202.tif 000002
【実用新案登録請求の範囲】
【請求項１】
矩形マスクの上辺を使用者の鼻の外形に応じて密着可能に変形させる成型具であって、マスクの上辺略中央に当接させる凸部と、該凸部との間で、マスクを挟持すると共に、その両側方から挟圧可能にされた一対の押圧片とからなることを特徴とするマスク成型具。
【請求項２】
異なる大きさの凸部を複数個設けたことを特徴とする請求項１記載のマスク成型具。
【考案の詳細な説明】
【技術分野】
【０００１】
本考案は、矩形マスクの上辺を使用者の鼻の高さに応じて密着可能に変形させるマスク成型具に関するものである。
【背景技術】
【０００２】
従来、医療用や衛生用に口と鼻を覆う矩形状のマスク（以下、単にマスクという）が使用されている。近年においては、とくに花粉症対策として、需要が増加している。一般的なマスクは、布や不織布製の平面状であるが、とくに、鼻から頬にかけて、マスクと顔面の間に大きな空隙ができ、密着性が悪くなる。
【０００３】
このような欠点を解消するために、マスク本体の上辺に形状保持材（ノーズクリップ）を直接取り付けて、この形状保持材を使用者の鼻形状に合わせて変形させることで密着性を向上させるマスクが知られている（例えば特許文献１参照。）。このようなマスクは、ある程度形状保持材を折り曲げてから、マスクの上辺を人指で押圧して変形させながら着用される。
【先行技術文献】
【特許文献】
【０００４】
【特許文献１】特開２００９−２５４４１８号公報
【考案の概要】
【考案が解決しようとする課題】
【０００５】
しかしながら、特許文献１のようなマスクは、手作業で変形させるため、マスクと顔面との密着性が高まるまで何度も曲げなおす必要があった。
【０００６】
本考案は、上記の問題点に鑑みなされたもので、簡単かつ確実に、マスクの密着性を向上させることができるマスク成型具を提供することを目的とする。
【課題を解決するための手段】
【０００７】
このため本考案のマスク成型具は、矩形マスクの上辺を使用者の鼻の外形に応じて密着可能に変形させる成型具であって、マスクの上辺略中央に当接させる凸部と、該凸部との間でマスクを挟持すると共に、その両側方から挟圧可能にされた一対の押圧片とからなることを第１の特徴とする。
【０００８】
また、異なる大きさの凸部を複数個設けたことを第２の特徴とする。
【考案の効果】
【０００９】
本考案のマスク成型具は、以下の優れた効果を有する。
（１）簡単な作業でマスクの上辺を使用者の鼻の外形に応じた形状に変形させ、マスクの密着性を向上させることができる。
（２）凸部にマスクの上辺略中央を当接させて、一対の押圧片により、挟圧するだけで、マスク上辺を容易に成型できる。
（３）異なる大きさの凸部を設けたので、使用者の鼻のサイズに合わせてマスクを成型することができる。
【図面の簡単な説明】
【００１０】
【図１】本考案に係るマス成型具の第一の実施例を示す斜視図である。
【図２】図１の平面図である。
【図３】図１を裏面側から見た斜視図である。
【図４】本考案に係る成型具の第二の実施例を示す平面図である。
【図５】本考案に係る成型具の第三の実施例を示す平面図である。
【図６】本考案に係る成型具の第四の実施例を示す平面図である。
【考案を実施するための形態】
【００１１】
以下、本考案に係るマスク成型具の実施形態を、図面に示す実施例に基づいて説明する。
【００１２】
［実施例１］
本考案のマスク成型具１は、図１乃至図３に示すように、円形プレート５と、円形プレート５の外周に設けられたＣ字状のリブ４と、円形プレート５の略中央に設けられた円弧状の第１の凸部２と、リブ４の端部である一対の押圧片４ａ間に設けられた第２の凸部３から構成され、ポリプロピレン樹脂で一体的に成形したものである。
【００１３】
円形プレート５は、図２に示すように、第２の凸部３の両側方と押圧片４ａとの間に一対の切欠き部５ａが設けられ、押圧片４ａを第２の凸部３に押圧可能とされている。第１の凸部２は、マスク９の上辺略中央に当接してマスク９の上辺に凹部１１を成型する。
【００１４】
第２の凸部３は、第１の凸部２とは異なるサイズの凸片であり、第１の凸部２とは異なるサイズの凹部１１を成型する。また、第２の凸部３は、図３に示すように、裏面、及び側面が切欠かれた指当て部３ａを有し、マスク９を成型する際に、この指当て部３ａに指を係止させることで安定して成型具１を把持することができる。
【００１５】
リブ４は、図２に示すように、Ｃ字状に形成され、その端部は、第２の凸部３の両側面に押圧可能とされた押圧片４ａとされている。
【００１６】
以下に、マスク成型具１の使用方法について、図２を用いて説明する。第１の凸部２の外周、内周、または第２の凸部３の外周に、マスク９の上辺略中央を当接させ、マスク９の上辺略中央に当接させた凸部形状に合った凹部１１を成型する。マスク９の上辺略中央を、第１の凸部２の外周、内周、または第２の凸部３の外周に当接させた状態で、一対の押圧片４ａを第２の凸部３の両側面に押圧することにより、マスク９をしっかりと挟持し、挟持されたマスク９を図２中の矢印方向へ開き、マスク９の上辺に谷折部を成型する。そのため、マスク９の上辺を鼻１０に密着可能な形状に成型することができる。また、鼻１０の高さに応じて、マスク９の上辺略中央を第１の凸部２の外周、内周、または第２の凸部３の外周に当接させて成型することで、使用者の鼻１０に適した凹部１１を容易に成型することができる。
【００１７】
［実施例２］
次に、本考案に係る成型具の第二の実施例について、図４を参照して説明する。便宜上、第一の実施例と同一の構成要件には同一の参照符号を付し、以下では第一の実施例との相違点を主に説明する。第二の実施例では、第１の凸部２の外周側に、第１の凸部２と円弧半径が異なる円弧状の第３の凸部６が設けられており、第一の実施例に比べて、さらに凹部１１の成型サイズが選択可能とされている。
【００１８】
［実施例３］
次に、本考案に係る成型具の第三の実施例について、図５を参照して説明する。第三の実施例では、円弧状に形成された第１の凸部２と、第１の凸部２に当接したマスク９を押圧する押圧片４ａから構成されている。第三の実施例においては、第１の凸部２の外周側、もしくは内周側にマスク９の略上辺中央を当接させて、凹部１１を成型することができる。
【００１９】
［実施例４］
次に、本考案に係る成型具の第四の実施例について、図６を参照して説明する。第四の実施例では、リブ４、及び円形プレート５が楕円形状に形成されている。このように、リブ４、及び円形プレート５が、第一の実施例に示すような円形状でなくとも良く、図示した以外の形状として例えば、三角形、四角形などの多角形状でも良い。
【００２０】
本実施の形態においては、材質にポリプロピレン樹脂を用いているが、これに限定されるものではなく、熱可塑性の合成樹脂であれば何れでも使用することができる。このような熱可塑性の合成樹脂として、例えば低密度、または高密度のポリエチレン樹脂、ポリエチレンテレフタレート樹脂、ポリ塩化ビニル、ＡＢＳ樹脂等を挙げることができ、これらを適宜選択して使用することができる。
【００２１】
尚、本考案の要旨は、第１の凸部２によりマスクの上辺略中央に凹部１１を成型し、凹部１１から離間した位置に一対の押圧片４ａにより谷折部を成型する点である。そのため、各実施の形態に挙げた形状のほか、例えば第１の凸部２が半円柱体でもよい。また、材質に熱可塑性の合成樹脂を用いているが、例えば第１の凸部２をステンレスなどの金属を用いてもよい。さらに、凸部１，２を覆うように蓋等を設けても良く、このように本考案の要旨を逸脱しない範囲内において種々変更を加え得ることは言うまでもない。
【符号の説明】
【００２２】
１      マスク成型具
２      第１の凸部
３      第２の凸部
３ａ    指当て部
４      リブ
４ａ    押圧片
５      円形プレート
５ａ    切欠き部
６      第３の凸部
９      マスク
１０    鼻
１１    凹部
９ｂ    折部
【図１】
0003190202.tif 000003
【図２】
0003190202.tif 000004
【図３】
0003190202.tif 000005
【図４】
0003190202.tif 000006
【図５】
0003190202.tif 000007
【図６】
0003190202.tif 000008
【手続補正書】
【提出日】平成26年2月14日(2014.2.14)
【手続補正１】
【補正対象書類名】実用新案登録請求の範囲
【補正対象項目名】全文
【補正方法】変更
【補正の内容】
【実用新案登録請求の範囲】
【請求項１】
矩形マスクの上辺を使用者の鼻の外形に応じて密着可能に変形させる成型具であって、マスクの上辺略中央に外周の一部を当接させる凸部と、該凸部に対してマスクを押圧して保持する一対の押圧片とからなり、該一対の押圧片は、マスクの上辺略中央を中心としてマスク上辺が該凸部の外周に沿って変形するように、該凸部の両側に設けられていることを特徴とするマスク成型具。
【請求項２】
前記凸部とは異なる大きさの凸部をその凸方向側にさらに設け、該凸部の外周に沿ってマスクの上辺略中央を中心としてマスク上辺を変形させることを特徴とする請求項１に記載のマスク成型具。